(57)【要約】【課題】  単品に分離したときでも壁面に容易に取り付けることができ、また見栄えも良好なリモコン装置を提供する。【解決手段】  リモコン２０はブラケット５０を介して壁面に取り付けられ、リモコン３０，４０は連結プレート６０を介してリモコン２０に連結されている。リモコン２０の背面にブラケット５０用係合溝２８と、連結プレート６０用係合溝２９，２９とが設けられている。リモコン３０，４０の背面にも、連結プレート６０用係合溝３３，４２がそれぞれ設けられている。各係合溝２９に連結プレート６０の下半分を差し込み、各連結プレート６０の上半分を係合溝３３，４２に差し込んでリモコン３０，４０をリモコン２０に連結する。連結プレート６０を壁面に取り付け、この連結プレート６０を係合溝３３，４２に差し込むことにより、各リモコン３０，４０を単体でも壁面に取り付け可能である。【選択図】  図２
2005083086.tif 000002
【特許請求の範囲】
【請求項１】
壁面に設置されるリモコン装置において、
前面に操作スイッチを有した複数のリモコン同士が連結プレートによって連結されてなり、
各リモコンの背面に設けられた係合溝に対し該連結プレートが係合していることを特徴とするリモコン装置。
【請求項２】
請求項１において、該連結プレートは、１個のリモコンにのみ装着され、且つ該リモコンを壁面に取り付け可能なものであることを特徴とするリモコン装置。
【請求項３】
壁面に設置されるリモコン装置において、
前面に操作スイッチを有した複数のリモコン同士が連結プレートによって連結されてなり、
隣接するリモコンに突き合わされる端面から該リモコンの背面にかけて設けられた係合溝に対し略Ｌ字形状の連結プレートが係合可能となっており、
該係合溝内に、該連結プレートを差し込み可能なスリットが、背面から該端面にかけて設けられており、
隣接するリモコン同士が、それらのスリットに差し込まれた連結プレートを介して連結されており、
該連結プレートは、リモコンを壁面に取り付け可能なものであることを特徴とするリモコン装置。
【請求項４】
請求項３において、該スリットに連結プレートを挿入したときに両者を係合させる係合部が設けられていることを特徴とするリモコン装置。
【発明の詳細な説明】
【技術分野】
【０００１】
本発明は、被操作機器を遠隔操作するためのリモコン装置に係り、例えば洋風便器に設けられた温水洗浄装置等のトイレ電装品を操作するのに好適なリモコン装置に関する。
【背景技術】
【０００２】
温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。
【０００３】
また、トイレの電装品としては、便座や便蓋をスイッチ操作によって開閉する開閉装置；便座ボックスやタンクカバーを上下動させ、それらの下面側の洋風便器上面を清掃し易くするための昇降装置；暖房便座；トイレ用エアコンなどがある。
【０００４】
各電装品をリモートコントロールするためのリモコン装置に上記のすべての電装品用のスイッチを設けたのでは、リモコン装置が徒に大型化してしまう。トイレルームに設置された電装品用のスイッチのみをリモコン装置に具備させる場合には、電装品の組み合わせに応じたスイッチ組合せを有するリモコン装置を製作する必要があり、リモコン装置の種類が著しく増えてしまう。
【０００５】
このような問題に対処するものとして、特開平１０−３１７４６２号及び実開平７−７２８９号には、複数のリモコン同士を嵌め合い方式により着脱可能に連結し、複数種類のリモコンを組み合わせ得るようにしたリモコン装置が記載されている。
【特許文献１】特開平１０−３１７４６２号公報
【特許文献２】実開平７−７２８９号公報
【発明の開示】
【発明が解決しようとする課題】
【０００６】
上記特開平１０−３１７４６２号及び実開平７−７２８９号のリモコン装置にあっては、個々のリモコンに分離したときにこれを単品として壁面に取り付けることができない。また、嵌め合い用の係合部がすべて露見し、見栄えが良くない。
【０００７】
本発明は、単品に分離したときでも壁面に容易に取り付けることができ、また見栄えも良好なリモコン装置を提供することを目的とする。
【課題を解決するための手段】
【０００８】
本発明（請求項１）のリモコン装置は、壁面に設置されるリモコン装置において、前面に操作スイッチを有した複数のリモコン同士が連結プレートによって連結されてなり、各リモコンの背面に設けられた係合溝に対し該連結プレートが係合していることを特徴とするものである。
【０００９】
かかるリモコン装置は、連結プレートが係合する溝をリモコンの背面に設けているので、リモコン単体に分離したときでも溝が目立たず、美観に優れる。
【００１０】
このリモコン装置にあっては、連結プレートは、１個のリモコンにのみ装着され、且つ該リモコンを壁面に取り付け可能なものである構成としてもよい（請求項２）。この構成とした場合には、単体に分離したリモコンを、該連結プレートによって壁面に取り付けることができる。
【００１１】
本発明（請求項３）のリモコン装置は、壁面に設置されるリモコン装置において、前面に操作スイッチを有した複数のリモコン同士が連結プレートによって連結されてなり、隣接するリモコンに突き合わされる端面から該リモコンの背面にかけて設けられた係合溝に対し略Ｌ字形状の連結プレートが係合可能となっており、該係合溝内に、該連結プレートを差し込み可能なスリットが、背面から該端面にかけて設けられており、隣接するリモコン同士が、それらのスリットに差し込まれた連結プレートを介して連結されており、該連結プレートは、リモコンを壁面に取り付け可能なものであることを特徴とするものである。
【００１２】
かかるリモコン装置にあっては、リモコン単体に分離した場合、連結プレートをリモコン単体の溝に係合させて溝を隠蔽することができる。また、この連結プレートを介してリモコン装置やリモコン単体を壁面に取り付けることができる。
【発明の効果】
【００１３】
本発明によると、意匠性に優れ、また種々の機能を組み合わせることができるリモコン装置が提供される。
【発明を実施するための最良の形態】
【００１４】
以下、図面を参照して本発明の一形態について説明する。第１図は本発明の一形態に係るリモコン装置を正面側から示す分解斜視図、第２図はこのリモコン装置の裏側からの分解斜視図、第３図は各リモコン同士を連結したリモコン装置の正面斜視図である。
【００１５】
このリモコン装置１０は、洋風便器の温水洗浄装置等の電装品をリモートコントロールするためのものである。この洋風便器には、温水洗浄装置と、電動式フラッシュ装置と、電動式便座開閉装置とが設けられている。
【００１６】
この温水洗浄装置には、シャワー（肛門）洗浄装置、チャーム（ビデ）洗浄装置、温風乾燥装置が設けられている。
【００１７】
電動式フラッシュ装置は、ロータンクのフロート弁を引き上げてロータンク内の水を洋風便器の便鉢に流出させるよう構成されたものであり、フロート弁を所定高さまで引き上げてロータンク内の水の略全量を放出する大洗浄と、フロート弁を短時間だけ少しだけ引き上げて少量の水を便鉢に流出させる小洗浄とを行うよう構成されている。
【００１８】
便座開閉装置は、便座開信号を受けて便座を起立回動させ、便座閉信号を受けて便座を倒伏回動させるよう構成されている。
【００１９】
このリモコン装置１０は、シャワー系リモコン２０、フラッシュ用リモコン３０及び便座用リモコン４０を備えてなる。リモコン２０はブラケット５０を介して壁面に取り付けられ、リモコン３０，４０は連結プレート６０を介してリモコン２０に連結されている。後述の通り、リモコン３０，４０は、この連結プレート６０によって壁面にも取り付け可能である。
【００２０】
各リモコン２０，３０，４０は、合成樹脂製のケーシングを有し、各々の前面にスイッチが設けられている。
【００２１】
シャワー系リモコン２０は、前面に肛門洗浄用シャワースイッチ２１と、ビデ用チャームスイッチ２２と、洗浄後に臀部を温風乾燥するための乾燥スイッチ２３と、シャワー洗浄、チャーム洗浄又は温風乾燥を停止させるストップスイッチ２４と、洗浄強さ調節スイッチ２５と、洗浄ノズル前進限位置を調節する洗浄位置調節スイッチ２６と、洗浄ノズルを前後往復動させて洗浄領域を拡大するワイド洗浄の入／切スイッチ２７とを備えている。
【００２２】
なお、乾燥スイッチ２３は、１回押す度に温風温度が高→中→低の順に繰り返し切り替わるよう構成されている。
【００２３】
フラッシュ用リモコン３０は、洋風便器の大使用後に多量の水を便鉢に流すための大フラッシュスイッチ３１と、小使用後に少量の水を便鉢に流すための小フラッシュスイッチ３２とを前面に備えている。
【００２４】
便座用リモコン４０は、前面に便座開閉用スイッチ４１を備えている。
【００２５】
また、図示はしないが、各リモコン２０，３０，４０には、各スイッチからのスイッチ信号に応じて赤外線コマンド信号を出力するように信号処理回路及び赤外線発光素子並びに電池が設けられている。
【００２６】
該シャワー系リモコン２０は横長の長方形盤状の外形を有しており、フラッシュ用リモコン３０と便座用リモコン４０とは、正方形盤状の外形を有している。該リモコン３０とリモコン４０とは、同一大きさとなっている。また、リモコン２０の横幅（左右幅）は、該リモコン３０，４０の横幅の２倍の大きさとなっている。
【００２７】
ブラケット５０と、連結プレート６０による各リモコン２０，３０，４０同士の連結構造とについて次に説明する。
【００２８】
リモコン２０の背面には、１個のブラケット５０用係合溝２８と、２個の連結プレート６０用係合溝２９，２９とがそれぞれ上下方向に延設されている。該係合溝２８は、リモコン２０の幅方向中央付近に配置されている。また、係合溝２９，２９は、一方がリモコン２０の左端から該リモコン２０の全幅の１／４幅だけ幅方向中央側に寄った位置に配置されており、他方がリモコン２０の右端から該リモコン２０の全幅の１／４幅だけ幅方向中央側に寄った位置に配置されている。
【００２９】
該係合溝２８は、リモコン２０の背面の下縁にまで延在しており、その下端が該リモコン２０の下端面に開放している。また、各係合溝２９は、リモコン２０の背面の上縁にまで延在しており、その上端が該リモコン２０の上端面に開放している。なお、各係合溝２９の上下方向の長さ（リモコン２０の上端面からの長さ）は、リモコン２０の上端面から各係合溝２９に連結プレート６０を差し込んだときに該連結プレート６０の下半分のみを収容しうる大きさとなっている。
【００３０】
係合溝２８の左右両側縁部からは、それぞれ、該係合溝２８内に係合した後述のブラケット５０の基片部５１を押えるように該係合溝２８内に張り出して、リモコン２０の背面側への該基片部５１の脱け出しを阻止する押え片２８ａ，２８ａが突設されている。各押え片２８ａは、リモコン２０の背面と面一状に係合溝２８の側縁から延出している。
【００３１】
また、各係合溝２９の左右両側縁部からも、それぞれ、該係合溝２９内に係合した連結プレート６０を押えるように該係合溝２９内に張り出して、リモコン２０の背面側への該連結プレート６０の脱け出しを阻止する押え片２９ａ，２９ａが突設されている。各押え片２９ａも、リモコン２０の背面と面一状に各係合溝２９の側縁から延出している。
【００３２】
リモコン３０，４０の背面にも、それぞれ、連結プレート６０用係合溝３３，４２が上下方向に延設されている。該係合溝３３，４２は、それぞれ、該リモコン３０，４０の幅方向中央付近に配置されている。これらの係合溝３３，４２は、それぞれ、リモコン３０，４０の背面の下縁にまで延在しており、その下端が該リモコン３０，４０の下端面に開放している。なお、これらの係合溝３３，４２の上下方向の長さ（リモコン３０，４０の下端面からの長さ）は、リモコン３０，４０の下端面からこれらの係合溝３３，４２にそれぞれ連結プレート６０を差し込んだときに該連結プレート６０の全体を収容しうる大きさとなっている。
【００３３】
これらの係合溝３３，４２の左右両側縁部からも、それぞれ、該係合溝３３，４２内に係合した各連結プレート６０を押えるように該係合溝３３，４２内に張り出して、リモコン３０，４０の背面側への該連結プレート６０の脱け出しを阻止する押え片３３ａ，３３ａ並びに４２ａ，４２ａが突設されている。各押え片３３ａ，４２ａは、リモコン３０，４０の背面と面一状に係合溝３３，４２の側縁からそれぞれ延出している。
【００３４】
ブラケット５０は、壁面に沿って配置されると共にリモコン２０の係合溝２８に係合する長方形板状の基片部５１と、該基片部５１が係合溝２８に係合したときにリモコン２０の下端面に重なるように該基片部５１の下辺から前方（壁面から離隔する方向）に突設されたリモコン支持片５２とを有している。該リモコン支持片５２は、リモコン２０の下端面のほぼ全面に重なりうる形状となっている。該基片部５１の背面側（壁面側）の左右両側縁部には、該基片部５１が係合溝２８内に係合したときに前記押え片２８ａ，２８ａが係合する切欠き状の凹段部５１ａ，５１ａが設けられている。該基片部５１は、ビス、両面テープ、平面ファスナ等の取付手段によって壁面に取り付けられる。なお、符号５１ｂは、基片部５１を壁面にビス留めする場合にビスが挿通される孔を示している。
【００３５】
連結プレート６０は長方形板状のものである。この連結プレート６０の背面側（壁面側）の左右両側縁部には、該連結プレート６０が係合溝２９と係合溝３３又は４２とに係合したときに前記押え片２９ａ，２９ａと押え片３３ａ，３３ａ又は４２ａ，４２ａとがそれぞれ係合する切欠き状の凹段部６０ａ，６０ａが設けられている。
【００３６】
なお、この連結プレート６０は、リモコン３０，４０をリモコン２０にそれぞれ連結するためだけでなく、該リモコン３０，４０をそれぞれ単体で壁面に取り付ける場合にも用いられる。この際、連結プレート６０は、ビス、両面テープ、平面ファスナ等の取付手段によって壁面に取り付けられる。符号６０ｂは、連結プレート６０を壁面にビス留めする場合にビスが挿通される孔を示している。
【００３７】
リモコン２０と各リモコン３０，４０とを連結するに当っては、まず、予めブラケット５０の基片部５１をビスや両面テープ、平面ファスナ等を用いて壁面に取り付けておく。そして、この基片部５１をリモコン２０の下端面から係合溝２８に差し込むようにしてブラケット５０にリモコン２０を連結する。そして、リモコン２０の上端面から左右の係合溝２９，２９それぞれに連結プレート６０，６０を差し込む。この際、各連結プレート６０は、各係合溝２９に対してその下半分だけが係合し、上半分はリモコン２０の上端面から上方に突出する。その後、各連結プレート６０の上半分を各リモコン３０，４０の下端面から各々の係合溝３３，４２に差し込みつつ該リモコン３０，４０の下端面をそれぞれリモコン２０の上端面に突き合わせる。これにより、リモコン３０，４０がそれぞれ連結プレート６０を介してリモコン２０に連結され、第３図に示す如きリモコン装置１０が構成される。
【００３８】
この形態では、リモコン２０の横幅が各リモコン３０，４０の横幅の２倍となっており、これらを連結するに当っては、このリモコン２０の上側に、リモコン３０，４０を左右隣り合わせになるように配置するため、これらの連結体であるリモコン装置１０は、第３図に示すように、正方形盤状の外形を有するようになる。
【００３９】
このリモコン装置１０は、リモコン２０の下端面に重なったブラケット５０のリモコン支持片５２によって下支えされてしっかりと壁面に設置される。
【００４０】
なお、リモコン３０を単体で壁面に取り付ける場合には、まず、予め連結プレート６０をビスや両面テープ、平面ファスナ等を用いて壁面に取り付けておく。そして、この連結プレート６０をリモコン３０の下端面から係合溝３３に差し込み、該連結プレート６０を介してリモコン３０を壁面に固定する。この際、連結プレート６０はその全体が該係合溝３３に入り込むため、リモコン３０の下側から連結プレート６０が露出することはない。
【００４１】
もちろん、リモコン４０も、このリモコン３０と同様にして、連結プレート６０を用いて単体で壁面に取り付けることができる。
【００４２】
このリモコン装置１０にあっては、ブラケット５０や連結プレート６０が係合する各係合溝２８，２９，３３，４２を各リモコン２０，３０，４０の背面に設けているので、リモコン２０〜４０を単体に分離したときでも該係合溝２８，２９，３３，４２が目立たず、美観に優れる。
【００４３】
第４図（ａ）は本発明の別の一形態に係るリモコン装置を構成するリモコンを単体で壁面に取り付ける場合の該リモコンと連結プレートとの分解斜視図であり、第４図（ｂ）は、この場合のリモコンと連結プレートとの係合状態を示す斜視図である。また、第５図はこのリモコン装置の分解斜視図であり、第６図は各リモコン同士を連結したリモコン装置の斜視図である。第７図（ａ）は連結プレートの斜視図であり、第７図（ｂ）は各リモコン同士を連結する場合のリモコンへの連結プレートの係合方法を示す分解斜視図である。
【００４４】
このリモコン装置１０Ａも、シャワー系リモコン２０Ａ、フラッシュ用リモコン３０Ａ及び便座用リモコン４０Ａを備えてなり、リモコン２０Ａがブラケット５０を介して壁面に取り付けられると共に、リモコン３０Ａ，４０Ａはそれぞれ連結プレート７０を介して該リモコン２０Ａに連結されている。該ブラケット５０は前述の第１〜３図と同様の構成となっている。なお、この形態でも、リモコン３０Ａ，４０Ａは、それぞれ、単体でも連結プレート７０によって壁面に取り付け可能となっている。
【００４５】
この形態においても、リモコン２０Ａは横長の長方形盤状の外形を有しており、リモコン３０Ａとリモコン４０Ａとは、正方形盤状の外形を有している。また、該リモコン３０Ａとリモコン４０Ａとは同一大きさとなっており、リモコン２０Ａの横幅は、各リモコン３０Ａ，４０Ａの横幅の２倍の大きさとなっている。
【００４６】
この形態では、リモコン３０Ａ，４０Ａには、それぞれ、各々の下端面から背面にかけて連続して形成された連結プレート７０用係合溝８０が設けられている。連結プレート７０は、この係合溝８０のうち、リモコン３０，４０の背面に沿う背面溝８１に係合可能な第１片７１と、リモコン３０，４０の下端面に沿う下端面溝８２に係合可能な第２片７２とを有した略Ｌ字形状のものである。
【００４７】
該第１片７１は長方形状であり、その長辺側の幅は、短辺側の幅の２倍の大きさとなっている。第２片７２は、この第１片７１の一方の長辺から該第１片７１の裏面側（背面溝８１内を向く側）に向って直角に延出している。なお、該第１片７１の表面側の周縁部のうち、他方の長辺と１対の短辺とに沿って、後述の押え片８１ａが係合する切欠き状の凹段部７１ａが形成されている。また、該第２片７２の先端辺のうち、その延在方向の中央付近から、該第２片７２の裏面側（下端面溝８２内を向く側）に向って直角に爪片７３が突設されている。
【００４８】
前記背面溝８１の周縁部のうち、左右の側縁と上縁とからは、該背面溝８１に係合した第１片７１の前記凹段部７１ａに係合して、リモコン３０，４０の背面側への該第１片７１の脱け出しを阻止する押え片８１ａ，８１ａが突設されている。各押え片８１ａは、リモコン３０，４０の背面と面一状に係合溝８１の側縁及び上縁からそれぞれ延出している。
【００４９】
前記下端面溝８２内におけるリモコン３０，４０の下端面には、それぞれ、第７図に示すように、該下端面溝８２内に第２片７２が係合したときに前記爪片７３が係合する爪片係合孔８３が、該下端面溝８２の前縁の幅方向中央付近に沿って設けられている。
【００５０】
また、背面溝８１内におけるリモコン３０，４０の背面には、それぞれ、該背面溝８１の幅方向中央付近を上下方向に延在した第２片７２用縦係合溝８４が形成されている。この縦係合溝８４の下端は、該下端面溝８２内におけるリモコン３０，４０下端面に開放しており、該リモコン３０，４０下端面からこの縦係合溝８４内に、第２片７２を第７図（ｂ）に示す如く縦に差し込むことができるようになっている。なお、この縦係合溝８４の奥側は、前記爪片係合孔８３に連通しており、縦係合溝８４内に縦に第２片７２を差し込んだ場合にも、爪片７３が該爪片係合孔８３に係合しうるようになっている。
【００５１】
リモコン２０Ａの背面には、１個のブラケット５０用係合溝２８と、２個の連結プレート７０用係合溝９０，９０とがそれぞれ上下方向に延設されている。該係合溝２８は、リモコン２０Ａの幅方向中央付近に配置されており、係合溝９０，９０は、一方がリモコン２０Ａの左端から該リモコン２０Ａの全幅の１／４幅だけ幅方向中央側に寄った位置に配置されており、他方がリモコン２０Ａの右端から該リモコン２０Ａの全幅の１／４幅だけ幅方向中央側に寄った位置に配置されている。なお、該係合溝２８の構成は、前述の第１〜３図と同様となっている。各係合溝９０は、リモコン２０Ａの背面の上縁にまで延在しており、その上端が該リモコン２０Ａの上端面に開放している。
【００５２】
各係合溝９０の横幅は、連結プレート７０の第１片７１の短辺方向の幅と同一大きさとなっている。各係合溝９０の周縁部のうち、リモコン２０Ａの幅方向中央側と反対側の縁部と、各係合溝９０の下端側の縁部とからは、該係合溝９０内に係合した第１片７１の前記凹段部７１ａに係合して、リモコン２０Ａの背面側への該第１片７１の脱け出しを阻止する押え片９０ａ，９０ａが突設されている。これらの押え片９０ａ，９０ａは、リモコン２０Ａの背面と面一状に該係合溝９０の側縁及び下縁から延出している。
【００５３】
各係合溝９０内におけるリモコン２０Ａの背面には、連結プレート７０の第２片７２を縦に差し込み可能な縦係合溝９１が、該リモコン２０Ａの幅方向中央側の該係合溝９０の側縁に沿って上下方向に延設されている。この縦係合溝９１の上端はリモコン２０Ａの上端面に開放している。
【００５４】
また、リモコン２０Ａの上端面からこの縦係合溝９１内に第２片７２を縦に差し込んだときに前記爪片７３が係合可能な爪片係合孔９２が、該縦係合溝９１の奥側に連通するように該リモコン２０Ａの上端面に形成されている。
【００５５】
なお、各係合溝９０の上下方向の長さ（リモコン２０Ａの上端面からの長さ）は、該連結プレート７０の第１片７１の長辺方向の幅の半分の大きさとなっている。
【００５６】
リモコン２０Ａと各リモコン３０Ａ，４０Ａとを連結するに当っては、まず、予めブラケット５０の基片部５１をビスや両面テープ、平面ファスナ等を用いて壁面に取り付けておく。そして、この基片部５１をリモコン２０Ａの下端面から係合溝２８に差し込むようにしてブラケット５０にリモコン２０Ａを連結する。そして、リモコン２０Ａの上端面から左右の係合溝９０，９０それぞれに、連結プレート７０，７０を第５図に示す如く縦に差し込む。この際、各連結プレート７０は、各係合溝９０に対してその下半分だけが係合し、上半分はリモコン２０Ａの上端面から上方に突出する。その後、各連結プレート７０の上半分を各リモコン３０Ａ，４０Ａの下端面から各々の係合溝８０に差し込みつつ該リモコン３０Ａ，４０Ａの下端面をそれぞれリモコン２０Ａの上端面に突き合わせる。これにより、リモコン３０Ａ，４０Ａがそれぞれ連結プレート７０を介してリモコン２０Ａに連結され、第６図に示す如きリモコン装置１０Ａが構成される。
【００５７】
なお、各係合溝８０，９０に差し込まれた連結プレート７０のうち、第２片７２が係合溝８４，９１に係合すると共に、その先端側の爪片７３が、各縦係合溝８４，９１の奥側に連なる爪片係合孔８３，９２に係合するので、連結プレート７０は、各リモコン２０Ａ，３０Ａ，４０Ａをぐらつき無く連結する。
【００５８】
このリモコン装置１０Ａにおいても、連結プレート７０を用いて各リモコン３０Ａ，４０Ａを単体で壁面に取り付けることができる。この場合、連結プレート７０を、第４図に示すように、第１片７１の長辺方向が左右方向となるように横向きに配置し、該第１片７１をビス１００や両面テープ、面ファスナ等で壁面に取り付ける。符号７１ｂは、該第１片７１を壁面にビス留めする場合にビス１００が挿通される孔を示している。そして、この第１片７１をリモコン下端面から背面溝８１に差し込み、該連結プレート７０を介して各リモコン３０Ａ，４０Ａを壁面に固定する。
【００５９】
なお、第１片７１を背面溝８１に差し込むと、第２片７２が下端面溝８２に係合するため、リモコン下端面には縦係合溝８４や爪片係合孔８３等が露見しない。
【００６０】
Ｌ字形の連結プレート７０は、リモコン単体を取付ける場合にも用いることができる。この場合、取付け安定感が高く、強固に取り付け可能である。なお、第５図に示すブラケット５０と連結プレート７０を共通化させるように構成してもよい。
【００６１】
上記の各形態はいずれも本発明の一例を示すものであり、本発明は上記の各形態に限定されるものではない。
【００６２】
例えば、上記の各形態では、シャワー系リモコンに対しフラッシュ用リモコンと便座用リモコンとを結合しているが、便蓋開閉用のリモコン、トイレエアコン用リモコンなど、他のリモコンを結合してもよい。シャワー系リモコンにもさらに別のスイッチが設けられてもよい。
【００６３】
上記の各形態ではリモコン同士のみを結合しているが、一部のリモコンの代りに、それと同一大きさのダミー体を設けてもよい。
【００６４】
ダミー体として時計付きダミー体や、１００Ｖアダプター、電池ボックス、電池、スピーカー、ラジオ、テレビ、ＣＤ又はＭＤプレーヤー、照明など他の機器を搭載したダミー体を用いてもよく、ミラー、額縁などの装飾体を備えたダミー体を用いてもよい。
【００６５】
上記実施の形態のリモコン装置はトイレルーム用のものであるが、これに限定されるものではない。
【図面の簡単な説明】
【００６６】
【図１】本発明の一形態に係るリモコン装置１０を正面側から示す分解斜視図である。
【図２】リモコン装置１０の裏側からの分解斜視図である。
【図３】各リモコン同士を連結したリモコン装置１０の正面斜視図である。
【図４】本発明の別の一形態に係るリモコン装置１０Ａを構成するリモコンを単体で連結プレートを用いて壁面に取り付ける場合の説明図である。
【図５】リモコン装置１０Ａの分解斜視図である。
【図６】各リモコン同士を連結したリモコン装置１０Ａの斜視図である。
【図７】図４の連結プレートの説明図である。
【符号の説明】
【００６７】
１０，１０Ａ  リモコン装置
２０，２０Ａ  シャワー系リモコン
２９  係合溝
３０，３０Ａ  フラッシュ用リモコン
３３  係合溝
４０，４０Ａ  便座用リモコン
４２  係合溝
５０  ブラケット
６０，７０  連結プレート
７１  第１片
７２  第２片
７３  爪片
８０  係合溝
８１  背面溝
８２  下端面溝
８３  爪片係合孔
８４  縦係合溝
９０  係合溝
９１  縦係合溝
９２  爪片係合孔
【図１】
2005083086.tif 000003
【図２】
2005083086.tif 000004
【図３】
2005083086.tif 000005
【図４】
2005083086.tif 000006
【図５】
2005083086.tif 000007
【図６】
2005083086.tif 000008
【図７】
2005083086.tif 000009